(57)【要約】【課題】複数の羽根に規制されることで吹き出し口から吹き出される空気の風向を変更することができる空気調和機の提供。【解決手段】空気調和機１は、吹き出し口１５が形成されている室内機ケーシング１２を有する室内機本体１１と、吹き出し口１５の一部を覆うことが可能な第１水平羽根３０と、吹き出し口１５の一部を覆うことが可能な第２水平羽根９０と、第１水平羽根３０を吹き出し口１５の近傍から移動させることが可能な第１水平羽根移動機構５０と、第２水平羽根９０を吹き出し口１５近傍から移動させることが可能な第２水平羽根移動機構９９とを備えている。第２水平羽根９０は、少なくともその一部が第１水平羽根３０の前後方向に配置されている。第２水平羽根移動機構９９は、第２水平羽根９０が吹き出し口１５近傍から迫り出されるように、第２水平羽根９０の有する連結部９０ａ，９０ｂを移動させることが可能である。【選択図】図２
2011012926.tif 000002
【特許請求の範囲】
【請求項１】
吹き出し口（１５，１１５）が形成されているケーシング（１２，１１２）を有する本体（１１，１１１）と、
前記吹き出し口の少なくとも一部を覆うことが可能な第１水平羽根（３０，１３０）と、
少なくともその一部が前記第１水平羽根の前後方向に配置されており、前記吹き出し口の少なくとも一部を覆うことが可能な第２水平羽根（９０，１９０）と、
前記第１水平羽根を前記吹き出し口近傍から移動させることが可能な第１水平羽根移動機構（５０）と、
前記第２水平羽根を前記吹き出し口近傍から移動させることが可能な第２水平羽根移動機構（９９）と、を備え、
前記第２水平羽根は、第２水平羽根連結部（９０ａ，９０ｂ）を有し、
前記第２水平羽根移動機構は、前記第２水平羽根連結部と連結しており、前記第２水平羽根が前記吹き出し口近傍から迫り出されるように前記第２水平羽根連結部を移動させることが可能である、
空気調和機（１）。
【請求項２】
前記第２水平羽根移動機構は、前記第２水平羽根を前記本体に対して略下方向に移動させることが可能である、
請求項１に記載の空気調和機。
【請求項３】
前記第１水平羽根は、前記第１水平羽根移動機構によって移動されることで、前記吹き出し口に対する傾斜角度が変更される、
請求項１または２に記載の空気調和機。
【請求項４】
前記第１水平羽根は、第１水平羽根第１連結部（３４）を有し、
前記第１水平羽根移動機構は、前記第１水平羽根第１連結部と連結しており、前記第１水平羽根の前記吹き出し口に対する傾斜角度が変更されるように前記第１水平羽根第１連結部を移動させることが可能な第１水平羽根角度変更機構（７１）を有する、
請求項３に記載の空気調和機。
【請求項５】
前記第１水平羽根は、第１水平羽根第２連結部（３２，３３）を有し、
前記第１水平羽根移動機構は、前記第１水平羽根第２連結部と連結しており、前記第１水平羽根が前記吹き出し口近傍から迫り出されるように前記第１水平羽根第２連結部を移動させることが可能な第１水平羽根迫り出し移動機構（５１，６１）を有する、
請求項１から４のいずれかに記載の空気調和機。
【請求項６】
前記第２水平羽根は、前記吹き出し口の前部を覆うことが可能な前羽根部（９１）と、前記前羽根部の両端部近傍から前記本体の後方向に延びる延長部（９２ａ，９２ｂ）と、を有する、
請求項１から５のいずれかに記載の空気調和機。
【請求項７】
前記延長部は、前記吹き出し口の両側部を覆うことが可能である、
請求項６に記載の空気調和機。
【請求項８】
前記延長部は、略水平方向に延びる第１部（９２ａａ，９２ｂａ）と、前記第１部から略上方向に立設される第２部（９２ａｂ，９２ｂｂ）とを含む、
請求項６または７に記載の空気調和機。
【請求項９】
前記吹き出し口は、前記ケーシングの底面部に形成されている底面開口部（１６）と、前記ケーシングの両側面部にそれぞれ形成されている側面開口部（１７）とを含み、
前記第２部は、前記側面開口部を覆うことが可能である、
請求項８に記載の空気調和機。
【発明の詳細な説明】
【技術分野】
【０００１】
本発明は、空気調和機に関する。
【背景技術】
【０００２】
従来より、調和空気の吹き出し口近傍に配置されており、回転軸を中心に回動することで吹き出し口から吹き出される調和空気の吹き出し方向を変更可能な羽根を備える空気調和機がある。
【０００３】
例えば、特許文献１（特開２００６−１３８６２９号公報）に開示されている空気調和機は、調和空気が吹き出される吹き出し口と、吹き出し口近傍に配置される風向変更羽根（羽根に相当）と、風向変更羽根を回動可動に保持する腕部とを備えている。この空気調和機では、腕部が風向変更羽根を吹き出し口の前方で回動させることで、吹き出し口から吹き出される空気の風向が変更されている。
【発明の概要】
【発明が解決しようとする課題】
【０００４】
ところで、吹き出し口から吹き出される空気の風向の種類を増やすために、吹き出し口近傍に複数の羽根を配置することが考えられる。
【０００５】
そこで、本発明の課題は、複数の羽根に規制されることで吹き出し口から吹き出される空気の風向を変更することができる空気調和機を提供することにある。
【課題を解決するための手段】
【０００６】
第１発明に係る空気調和機は、本体と、第１水平羽根と、第２水平羽根と、第１水平羽根移動機構と、第２水平羽根移動機構とを備えている。本体は、吹き出し口が形成されているケーシングを有している。第１水平羽根は、吹き出し口の少なくとも一部を覆うことが可能である。第２水平羽根は、少なくともその一部が第１水平羽根の前後方向に配置されている。また、第２水平羽根は、吹き出し口の少なくとも一部を覆うことが可能である。第１水平羽根移動機構は、第１水平羽根を吹き出し口の近傍から移動させることが可能である。第２水平羽根移動機構は、第２水平羽根を吹き出し口近傍から移動させることが可能である。また、第２水平羽根は、第２水平羽根連結部を有している。さらに、第２水平羽根移動機構は、第２水平羽根連結部と連結している。また、第２水平羽根移動機構は、第２水平羽根が吹き出し口近傍から迫り出されるように第２水平羽根連結部を移動させることが可能である。
【０００７】
第１発明に係る空気調和機では、少なくとも第１水平羽根および第２水平羽根によって吹き出し口が覆われている。このため、吹き出し口から吹き出される調和空気を、第１水平羽根または第２水平羽根の少なくともいずれか一方の水平羽根によって規制することができる。したがって、例えば、第１水平羽根と第２水平羽根との吹き出し口に対する傾斜角度が異なる場合、第１水平羽根のみによって風向が規制される場合と比較して、吹き出し口から吹き出される空気の風向の種類を増やすことができる。
【０００８】
これによって、第１水平羽根および第２水平羽根によって、吹き出し口から吹き出される空気の風向を変更することができる。
【０００９】
第２発明に係る空気調和機は、第１発明の空気調和機であって、第２水平羽根移動機構は、第２水平羽根を、本体に対して略下方向に移動させることが可能である。このため、この空気調和機では、第２水平羽根を本体に対して概ね下方向に移動させることができる。
【００１０】
第３発明に係る空気調和機は、第１発明または第２発明の空気調和機であって、第１水平羽根は、第１水平羽根移動機構によって移動されることで、吹き出し口に対する傾斜角度が変更される。このため、吹き出し口に対する第１水平羽根の傾斜角度が変更されることで、第１水平羽根によって規制される調和空気の吹き出し方向を変更することができる。
【００１１】
第４発明に係る空気調和機は、第３発明の空気調和機であって、第１水平羽根は、第１水平羽根第１連結部を有する。また、第１水平羽根移動機構は、第１水平羽根角度変更機構を有する。第１水平羽根角度変更機構は、第１水平羽根第１連結部と連結している。さらに、第１水平羽根角度変更機構は、第１水平羽根の吹き出し口に対する傾斜角度が変更されるように、第１水平羽根第１連結部を移動させることが可能である。
【００１２】
第４発明に係る空気調和機では、第１水平羽根角度変更機構によって、第１水平羽根の吹き出し口に対する傾斜角度が変更されるように、第１水平羽根第１連結部が移動される。このため、この空気調和機では、第１水平羽根角度変更機構によって吹き出し口に対する第１水平羽根の傾斜角度が変更されることで、第１水平羽根によって規制される調和空気の吹き出し方向を変更することができる。
【００１３】
第５発明に係る空気調和機は、第１発明から第４発明のいずれかの空気調和機であって、第１水平羽根は、第１水平羽根第２連結部を有する。第１水平羽根移動機構は、第１水平羽根迫り出し移動機構を有する。第１水平羽根迫り出し移動機構は、第１水平羽根第２連結部と連結している。また、第１水平羽根迫り出し移動機構は、第１水平羽根が吹き出し口近傍から迫り出されるように、第１水平羽根第２連結部を移動させることが可能である。
【００１４】
第５発明に係る空気調和機では、第１水平羽根迫り出し移動機構によって、第１水平羽根が吹き出し口近傍から迫り出されるように、第１水平羽根第２連結部が移動される。このため、この空気調和機では、第１水平羽根が吹き出し口近傍から迫り出されるように第１水平羽根第２連結部を移動させることができる。
【００１５】
第６発明に係る空気調和機は、第１発明から第５発明の空気調和機であって、第２水平羽根は、吹き出し口の前部を覆うことが可能な前羽根部と、前羽根部の両端部近傍から本体の後方向に延びる延長部とを有する。このため、第２水平羽根によって、吹き出し口の前部を覆うことができる。
【００１６】
第７発明に係る空気調和機は、第６発明の空気調和機であって、延長部は、吹き出し口の両側部を覆うことが可能である。このため、第２水平羽根によって、吹き出し口の両側部を覆うことができる。
【００１７】
第８発明に係る空気調和機は、第６発明または第７発明の空気調和機であって、延長部は、略水平方向に延びる第１部と、第１部から略上方向に立設される第２部とを含む。このため、例えば、吹き出し口がケーシングの底面部から側面部にかけて形成されている場合には、延長部の第２部によってケーシングの側面部に形成されている吹き出し口を覆うことができる。
【００１８】
第９発明に係る空気調和機は、第８発明に係る空気調和機であって、吹き出し口は、ケーシングの底面部に形成されている底面開口部と、ケーシングの両側面部にそれぞれ形成されている側面開口部とを含む。また、第２部は、側面開口部を覆うことが可能である。このため、この空気調和機では、第２部によって側面開口部を覆うことができる。
【発明の効果】
【００１９】
第１発明に係る空気調和機では、第１水平羽根および第２水平羽根によって、吹き出し口から吹き出される空気の風向を変更することができる。
【００２０】
第２発明に係る空気調和機では、第２水平羽根を本体に対して概ね下方向に移動させることができる。
【００２１】
第３発明に係る空気調和機では、第１水平羽根によって規制される調和空気の吹き出し方向を変更することができる。
【００２２】
第４発明に係る空気調和機では、第１水平羽根によって規制される調和空気の吹き出し方向を変更することができる。
【００２３】
第５発明に係る空気調和機では、第１水平羽根が吹き出し口近傍から迫り出されるように第１水平羽根第２連結部を移動させることができる。
【００２４】
第６発明に係る空気調和機では、第２水平羽根によって、吹き出し口の前部を覆うことができる。
【００２５】
第７発明に係る空気調和機では、第２水平羽根によって、吹き出し口の両側部を覆うことができる。
【００２６】
第８発明に係る空気調和機では、延長部の第２部によってケーシングの側面部に形成されている吹き出し口を覆うことができる。
【００２７】
第９発明に係る空気調和機では、第２部によって側面開口部を覆うことができる。
【図面の簡単な説明】
【００２８】
【図１】本発明の実施形態に係る空気調和機の概略冷媒回路図。
【図２】本発明の実施形態に係る空気調和機の運転停止時であって、運転停止状態である室内機の斜視図。
【図３】本発明の実施形態に係る空気調和機の冷房運転時であって、第１冷房状態である室内機の斜視図。
【図４】本発明の実施形態に係る空気調和機の暖房運転時であって、第１暖房状態である室内機の斜視図。
【図５】運転停止状態である室内機の底面図。
【図６】運転停止状態である室内機の右側面図。
【図７】第１冷房状態である室内機の右側面図。
【図８】第２冷房状態である室内機の右側面図。
【図９】第１水平羽根および第１水平羽根移動機構の外観斜視図。
【図１０】第１水平羽根の状態が第１開状態である場合の第１水平羽根および第１水平羽根移動機構の平面図であって、第１水平羽根と第１水平羽根移動機構との位置関係を示す概念図。
【図１１】第１水平羽根が閉状態である室内機の概略斜視図（第２水平羽根、取り付け板および仕切部材は省略）。
【図１２】第１水平羽根が第１開状態である室内機の概略斜視図（第２水平羽根、取り付け板および仕切部材は省略）。
【図１３】第１水平羽根が第２開状態である室内機の概略斜視図（第２水平羽根、取り付け板および仕切部材は省略）。
【図１４】第１水平羽根が第３開状態である室内機の概略斜視図（第２水平羽根、取り付け板および仕切部材は省略）。
【図１５】第２水平羽根の概略斜視図。
【図１６】第２水平羽根移動機構の備える駆動部の側面図。
【図１７】第２水平羽根移動機構の備える動力伝達軸と第１開閉機構および第２開閉機構との位置関係を示す図。
【図１８】第２水平羽根移動機構の備える第１開閉機構の側面図。
【図１９】空気調和機の備える制御部の制御ブロック図。
【図２０】第２冷房風向状態である室内機の斜視図。
【図２１】三方風向状態である室内機の斜視図。
【図２２】変形例（Ｂ）に係る空気調和機の備える室内機の外観斜視図。
【発明を実施するための形態】
【００２９】
以下、図面を参照しながら本発明の一実施形態に係る室内機１０を備える空気調和機１について説明する。なお、以下の実施形態は、本発明の具体例であって、本発明の技術的範囲を限定するものではない。
【００３０】
＜空気調和機の構成概略＞
図１は、空気調和機１の概略冷媒回路図である。図２は、空気調和機１の運転停止時、すなわち、運転停止状態である室内機１０の斜視図である。
【００３１】
空気調和機１は、室内の壁面に取り付けられる室内機１０と、室外に設置される室外機２とを備えており、冷房運転および暖房運転等の各種運転を実行することができる。
【００３２】
室外機２は、図１に示すように、圧縮機３と、圧縮機３の吐出側に接続されている四路切換弁４と、圧縮機３の吸入側に接続されるアキュムレータ５と、四路切換弁４に接続されている室外熱交換器６と、室外熱交換器６に接続された室外膨張弁７とを有している。室外膨張弁７は、冷媒配管８を介して後述する室内熱交換器１３の一端と接続される。また、四路切換弁４は、冷媒配管８を介して室内熱交換器１３の他端と接続されている。また、室外機２内には、室外ファン９が設けられている。室外ファン９は、室外の空気を取り込み、室外熱交換器６での熱交換後の空気を室外機２外部に排出するプロペラファンである。
【００３３】
室内機１０は、上述のように、室内の壁面等に取り付けられる壁掛け型の室内機１０である。また、室内機１０は、図２に示すように、主として、室内機本体１１と、第１水平羽根３０と、第２水平羽根９０と、第１水平羽根移動機構５０（図１９参照）と、第２水平羽根移動機構９９（図１９参照）と、を備えている。以下に、室内機本体１１、第１水平羽根３０、第２水平羽根９０、第１水平羽根移動機構５０、第２水平羽根移動機構９９の順に説明する。
【００３４】
＜室内機本体の構成＞
図３は、空気調和機１の冷房運転時であって、第１冷房状態である室内機１０の斜視図である。図４は、空気調和機１の暖房運転時であって、第１暖房状態である室内機１０の斜視図である。図５は、運転停止状態である室内機１０の底面図である。図６は、運転停止状態である室内機１０の側面図である。図７は、第１冷房状態である室内機１０の側面図である。図８は、第２冷房状態である室内機１０の側面図である。
【００３５】
室内機本体１１は、室内機ケーシング１２と、室内熱交換器１３と、室内ファン１４とを備えている。
【００３６】
室内機ケーシング１２は、水平方向に長い略直方形状の部材である。また、室内機ケーシング１２には、室内熱交換器１３および室内ファン１４等が収納されている。さらに、室内機ケーシング１２には、取り込み口（図示せず）と、吹き出し口１５とが形成されている。取り込み口は、室内の空気を室内機ケーシング１２の内側に取り込むための開口であって、室内機ケーシング１２の上部に形成されている。
【００３７】
また、吹き出し口１５は、室内機本体１１内で調和された空気を吹き出すための開口であって、室内機１０の下部近傍に形成されている。具体的には、吹き出し口１５は、図５および図８に示すように、室内機ケーシング１２の底面に形成されている第１開口１６と、室内機ケーシング１２の左右両側面に形成されている第２開口１７とを含む。このため、吹き出し口１５が開放されている場合には、室内機１０の側面視において、吹き出し口１５の一部、すなわち、第２開口１７を視認可能である。
【００３８】
また、本実施形態では、第１開口１６と第２開口１７との間は、仕切部材１２ａによって仕切られている（図８参照）。なお、本実施形態では、吹き出し口１５が仕切部材１２ａによって仕切られているが、これに限定されず、吹き出し口が仕切部材等によって仕切られていない構成、すなわち、吹き出し口が室内機ケーシングの底面から両側面にかけて連続して形成された１つの開口であってもよい。
【００３９】
室内熱交換器１３は、長手方向両端で複数回折り返されてなる伝熱管と、伝熱管に挿通される複数のフィンとからなり、接触する空気との間で熱交換を行う。また、室内熱交換器１３は、暖房運転時には凝縮器として機能し、冷房運転時には蒸発器として機能する。
【００４０】
室内ファン１４は、駆動機構としてのモータ１４ａ（図１参照）と、モータ１４ａにより回転駆動される羽根車とを有するクロスフローファンである。また、室内ファン１４は、取り込み口から室内機ケーシング１２内に空気を吸入し、室内熱交換器１３を通過させた後に、吹き出し口１５から室内機ケーシング１２外に空気を吹き出すことができるように配置されている。
【００４１】
また、室内機本体１１は、垂直羽根１９（図１９参照）を備えている。垂直羽根１９は、駆動モータ（図示せず）と、連結棒（図示せず）と、連結棒によって連結された複数枚の羽根（図示せず）とを有しており、揺動可能なように室内機ケーシング１２に取り付けられている。また、複数枚の羽根の面は、駆動モータによって連結棒が駆動されることで、室内機ケーシング１２の長手方向に対して垂直な状態を中心に左右に揺動する。さらに、羽根は、揺動することにより、または、揺動した後に任意の角度で止まることで、室内機１０の左右方向における調和空気の吹き出し方向を調整する。
【００４２】
＜第１水平羽根の構成＞
図９は、第１水平羽根３０および第１水平羽根移動機構５０の外観斜視図である。図１０は、第１水平羽根３０の状態が第１開状態である場合の第１水平羽根３０および第１水平羽根移動機構５０の平面図であって、第１水平羽根３０と第１水平羽根移動機構５０との位置関係を示す概念図である。図１１は、第１水平羽根が閉状態である場合の室内機１０の概略斜視図である。図１２は、第１水平羽根が第１開状態である場合の室内機１０の概略斜視図である。図１３は、第１水平羽根が第２開状態である場合の室内機１０の概略斜視図である。図１４は、第１水平羽根が第３開状態である場合の室内機１０の概略斜視図である。
【００４３】
第１水平羽根３０は、室内機１０の長手方向（水平方向）に長い板状の部材である。また、第１水平羽根３０は、室内機１０の下部に配置されている。具体的には、第１水平羽根３０は、第１開口１６の一部を覆うように配置されている。
【００４４】
さらに、第１水平羽根３０は、後述する第１水平羽根移動機構５０と連結する連結部３２，３３，３４を有する。連結部３２，３３，３４は、第１水平羽根３０において、第１水平羽根３０が吹き出し口１５を覆っている状態で、室内機１０の外部から視認することができる面（以下、外側面３０ｂという）とは反対側の面（以下、内側面３０ａという）に配置されている。また、連結部３２，３３，３４は、第１連結部３２，３３と、第２連結部３４とを含む。第１連結部３２，３３は、図９および図１０に示すように、第１水平羽根３０において２箇所に配置されている。具体的には、第１連結部３２，３３は、図１０に示すように、第１水平羽根３０の両端部３０ｇ，３０ｈ近傍であって、第１水平羽根３０の一方の長辺（以下、第１長辺３０ｃという）近傍にそれぞれ配置されている。第２連結部３４は、図１０に示すように、第１水平羽根３０の長手方向の略中央付近であって、第１水平羽根３０の第１長辺３０ｃに対向する辺である第２長辺３０ｄ近傍に配置されている。また、第２連結部３４は、第１水平羽根３０において、２箇所の第１連結部３２，３３を結ぶ直線上から外れた位置に配置されている。このため、第１連結部３２，３３および第２連結部３４の位置が確定することで、第１水平羽根３０の位置および姿勢が確定する。
【００４５】
また、第１連結部３２，３３および第２連結部３４は、図１０に示すように、それぞれ軸支部３２ａ，３３ａ，３４ａを含む。各軸支部３２ａ，３３ａ，３４ａは、後述する支持軸５７，６７，７８を回転可能に軸支している。また、各軸支部３２ａ，３３ａ，３４ａは、高摺動性を有しており、摩擦を抑えて支持軸５７，６７，７８を滑らかに回転させることができる。
【００４６】
さらに、第１水平羽根３０は、４つの状態（閉状態、第１開状態、第２開状態、および、第３開状態）を採ることが可能である。なお、以下より、説明の便宜上、第１開口１６において、第１水平羽根３０の状態が閉状態である場合に第１水平羽根３０によって覆われる部分、すなわち、第１水平羽根３０の状態が閉状態である場合に第１水平羽根３０が配置される空間を、第１開口１６の第１部分１６ａという。また、本実施形態における「遮蔽」とは、吹き出し口１５の所定部分を覆うことが可能な部材によって、前記所定部分の略全部が覆われている状態を意味しており、本実施形態における「開放」とは、吹き出し口１５の所定部分を覆うことが可能な部材によって、前記所定部分の略全部が覆われていない状態を意味している。例えば、第１開口１６の第１部分１６ａに相当する開口面の略全体が第１水平羽根３０によって覆われている状態を第１開口１６の第１部分１６ａが遮蔽されている状態とし、第１開口１６の第１部分１６ａに相当する開口面の略全体が第１水平羽根３０によって覆われていない状態を第１開口１６の第１部分１６ａが開放されている状態とする。
【００４７】
第１水平羽根３０の状態が閉状態の場合、第１水平羽根３０は、第１開口１６において第１部分１６ａに相当する開口面を覆うように配置される（図１１参照）。このため、第１水平羽根３０の状態が閉状態の場合には、第１水平羽根３０によって第１開口１６の第１部分１６ａが遮蔽される。
【００４８】
第１水平羽根３０の状態が第１開状態の場合、第１水平羽根３０は、第１開口１６の第１部分１６ａを開放し、かつ、第１開口１６の第１部分１６ａから室内機１０の前方に向かって空気が吹き出されるように配置される。具体的には、第１水平羽根３０は、第１開口１６において第１部分１６ａに相当する開口面に対して略平行に対向するように配置される（図１２参照）。言い換えると、第１開口１６の長手方向を「左右方向」とし第１開口１６の長手方向に直交する方向を「前後方向」とすると、第１水平羽根３０は、第１開口１６の第１部分１６ａに相当する開口面に対して、左右方向および前後方向に対して傾斜しないように配置される。
【００４９】
第１水平羽根３０の状態が第２開状態の場合、第１水平羽根３０は、第１開口１６の第１部分１６ａを開放し、かつ、第１開口１６の第１部分１６ａから室内機１０の前方に向かって空気が吹き出されるように配置される。具体的には、第１水平羽根３０は、第１開口１６において第１部分１６ａに相当する開口面に対して所定角度だけ傾斜するように配置される（図１３参照）。言い換えると、第１水平羽根３０は、第１水平羽根３０において第１開口１６の前後方向の後側に近い側の端部、すなわち、第１水平羽根３０の第２長辺３０ｄを含む端部（以下、後側端部３０ｅという）が、第１水平羽根３０の後側端部３０ｅに対向する端部（以下、前側端部３０ｆという）よりも第１開口１６において第１部分１６ａに相当する開口面に対して近くなるように、傾斜して配置される。したがって、第１水平羽根３０が第２開状態の場合には、室内機１０の正面視において、第１水平羽根３０の内側面３０ａが視認可能である。なお、上述の前側端部３０ｆとは、第１水平羽根３０において第１開口１６の前後方向の前側に近い側の端部であって、第１水平羽根３０の第１長辺３０ｃを含む端部のことである。
【００５０】
また、第１水平羽根３０の状態が第２開状態である場合、第１水平羽根３０は、第１開口１６において第１部分１６ａに相当する開口面に対して前後方向に傾斜して配置されている。このため、第１水平羽根３０の状態が第２開状態である場合には、第１水平羽根３０の状態が第１開状態である場合と比較して、室内機１０の下方に向かう空気流が形成される。このため、以下より、第１水平羽根３０の状態が第２開状態である場合に第１開口１６の第１部分１６ａから吹き出された空気が向かう方向を前側下方といい、第１水平羽根３０の状態が第１開状態である場合に第１開口１６の第１部分１６ａから吹き出された空気が向かう方向を前側上方という。
【００５１】
第１水平羽根３０の状態が第３開状態の場合、第１水平羽根３０は、第１開口１６の第１部分１６ａを開放し、かつ、第１開口１６の第１部分１６ａから室内機１０の下方に空気が吹き出されるように配置される。具体的には、第１水平羽根３０は、第１開口１６において第１部分１６ａに相当する開口面に対して所定角度だけ傾斜するように配置される（図１４参照）。より具体的には、第１水平羽根３０の前側端部３０ｆが、第１水平羽根３０の後側端部３０ｅよりも第１開口１６において第１部分１６ａに相当する開口面に近くなるように第１水平羽根３０が傾斜して配置される。このため、第１水平羽根３０の状態が第３開状態の場合、室内機１０の正面視において、第１水平羽根３０の外側面３０ｂが視認可能である。
【００５２】
＜第２水平羽根の構成＞
図１５は、第２水平羽根９０の概略斜視図である。
【００５３】
第２水平羽根９０は、図２および図１５に示すように、前面部９１と、前面部９１の両端部近傍から室内機本体１１の後方向に延びる延長部９２ａ，９２ｂとを備えている。前面部９１は、室内機１０の正面視において、室内機１０の長手方向に平行に延びる略長方形状の板状の部材である。また、前面部９１は、第１開口１６の第２部分１６ｂを覆うことが可能である。なお、ここでいう第２部分１６ｂとは、図５に示すように、第１開口１６において室内機１０の前側に近い側の端部である第１開口１６の前部のことである。このため、第２水平羽根９０の前面部９１は、第１水平羽根３０の前側に配置されることになる。
【００５４】
延長部９２ａ，９２ｂは、図２および図１５に示すように、第１部９２ａａ，９２ｂａと、第１部９２ａａ，９２ｂａの端部から略上方向に立設される第２部９２ａｂ，９２ｂｂとを有する。第１部９２ａａ，９２ｂａは、前面部９１から連続して形成されており、前面部９１と略同一面内に配置されている。また、第１部９２ａａは、第１開口１６の第３部分１６ｃを覆うことが可能である。なお、ここでいう第３部分１６ｃとは、第１開口１６において室内機１０の右側に近い側の端部である第１開口１６の右側端部のことである。また、第１部９２ｂａは、第１開口１６の第４部分１６ｄを覆うことが可能である。なお、ここでいう第４部分１６ｄとは、第１開口１６において室内機１０の左側に近い側の端部である第１開口１６の左側端部のことである。言い換えると、第１開口１６は、第１部分１６ａ、第２部分１６ｂ、第３部分１６ｃおよび第４部分１６ｄに分かれており、第１部分１６ａの前側に第２部分１６ｂが位置しており、第１部分１６ａの右側に第３部分１６ｃが位置しており、第１部分１６ａの左側に第４部分１６ｄが位置している。このため、図５に示すように、第２水平羽根９０の前面部９１および第１部９２ａａ，９２ｂａは、第１開口１６の外縁に沿ってコの字状に設けられており、第１開口１６において、第１水平羽根３０によって覆われる第１部分１６ａを除く部分である第２部分１６ｂ、第３部分１６ｃおよび第４部分１６ｄを覆うことが可能である。また、室内機１０の風向状態が運転停止状態である場合には、第２水平羽根９０の前面部９１および第１部９２ａａ，９２ｂａは、第１水平羽根３０と略同一面内に配置される。言い換えると、室内機１０の風向状態が運転停止状態である場合には、第２水平羽根９０の前面部９１および第１部９２ａａ，９２ｂａは、第１水平羽根３０の前側および左右両側を囲むように配置される。このため、室内機１０の風向状態が運転停止状態である場合に、第１水平羽根３０と第２水平羽根９０との間に現れる目地が目立つおそれを減らすことができる。
【００５５】
第２部９２ａｂ，９２ｂｂは、略三角形状を呈しており、第２開口１７の開口面積と略同一の面積を有している。また、第２部９２ａｂは、第２開口１７のうち室内機１０の右側に位置する開口部分を覆うことができる。さらに、第２部９２ｂｂは、第２開口１７のうち室内機１０の左側に位置する開口部分を覆うことができる。
【００５６】
このような構成によって、第２水平羽根９０の前面部９１および第１部９２ａａ，９２ｂａは、第１開口１６の一部を覆うことが可能である。また、第２水平羽根９０の第２部９２ａｂ，９２ｂｂは、第２開口１７を覆うことが可能である。このため、第２水平羽根９０は、第１水平羽根３０とともに吹き出し口１５を覆うことが可能である。なお、本実施形態では、前面部９１および第１部９２ａａ，９２ｂａは略水平方向に平行な面を有しており、第２部９２ａｂ，９２ｂｂは略鉛直方向に平行な面を有しているものとする。
【００５７】
さらに、第２水平羽根９０は、２つの状態（閉状態および開状態）を採ることが可能である。
【００５８】
第２水平羽根９０の状態が閉状態である場合、第２水平羽根９０が第１開口１６の第２部分１６ｂ、第３部分１６ｃおよび第４部分１６ｄおよび第２開口１７を覆うように配置される（図６および図７参照）。具体的には、第２水平羽根９０の状態が閉状態である場合には、前面部９１が第１開口１６の第２部分１６ｂを覆うように配置され、第１部９２ａａが第１開口１６の第３部分１６ｃを覆うように配置され、第１部９２ｂａが第１開口１６の第４部分１６ｄを覆うように配置され、第２部９２ａｂが第２開口１７において右側に位置する開口部分を覆うように配置され、第２部９２ｂｂが第２開口１７において左側に位置する開口部分を覆うように配置される。このため、第１水平羽根３０および第２水平羽根９０が閉状態である場合には、第１開口１６および第２開口１７が遮蔽される。
【００５９】
第２水平羽根９０の状態が開状態である場合、第２水平羽根９０が第１開口１６の第２部分１６ｂ、第３部分１６ｃおよび第４部分１６ｄおよび第２開口１７を開放するように配置される（図８参照）。具体的には、第２水平羽根９０の状態が開状態である場合には、前面部９１が第１開口１６の第２部分１６ｂを開放するように配置され、第１部９２ａａが第１開口１６の第３部分１６ｃを開放するように配置され、第１部９２ｂａが第１開口１６の第４部分１６ｄを開放するように配置され、第２部９２ａｂが第２開口１７において右側に位置する開口部分を開放するように配置され、第２部９２ｂｂが第２開口１７において左側に位置する開口部分を開放するように配置される。このため、第１水平羽根３０の状態が第１開状態または第２開状態であり、かつ、第２水平羽根９０の状態が開状態の場合には、室内機１０の前方および側方に向かって空気が吹き出される。
【００６０】
＜第１水平羽根移動機構＞
第１水平羽根移動機構５０は、第１開口１６の第１部分１６ａが覆われている状態から第１開口１６の第１部分１６ａが開放されている状態となるように、第１水平羽根３０を移動させる機構である。言い換えると、第１水平羽根移動機構５０は、第１水平羽根３０の状態を切り換えるために、第１水平羽根３０を移動させる。すなわち、第１水平羽根移動機構５０は、第１水平羽根３０を移動することによって、第１開口１６の開口面に対する第１水平羽根３０の傾斜角度を変更することができる。
【００６１】
第１水平羽根移動機構５０は、迫り出し機構５１，６１と、角度変更機構７１とを有している。迫り出し機構５１，６１は、第１水平羽根３０が吹き出し口１５近傍から迫り出されるように、第１水平羽根３０と迫り出し機構５１，６１とが連結されている部分である第１連結部３２，３３を移動させることで、第１水平羽根３０をスライド移動させる。言い換えると、迫り出し機構５１，６１は、第１連結部３２，３３をスライド移動させることで、第１水平羽根３０を、第１開口１６において第１部分１６ａに相当する開口面に対して略平行に配置することが可能な機構である。
【００６２】
また、迫り出し機構５１，６１は、図９および図１０に示すように、第１迫り出し機構５１と、第２迫り出し機構６１とを有する。なお、本実施形態では、第１迫り出し機構５１と第２迫り出し機構６１との構成は同様であるため、ここでは、第１迫り出し機構５１の構成についてのみ説明を行い、第２迫り出し機構６１については、第１迫り出し機構５１の構成部品に付される５０番台の符号を６０番台に読み替えることによって、説明を省略する。
【００６３】
第１迫り出し機構５１は、ピニオン歯車５２と、移動部材５３と、迫り出し機構駆動用モータ５４とを有している。
【００６４】
ピニオン歯車５２は、迫り出し機構駆動用モータ５４の有する駆動軸５４ａに連結されており、迫り出し機構駆動用モータ５４が駆動することによって回転する。
【００６５】
移動部材５３は、ピニオン歯車５２と噛み合うラック５６と、支持軸５７とを有している。ラック５６は、移動部材５３の一端部５３ａ近傍から他端部５３ｂ近傍にかけて配置されている。支持軸５７は、棒状の部材であって、移動部材５３の端部５３ａ近傍の端面から外側に向かって突出している。さらに、支持軸５７は、第１水平羽根３０の軸支部３２ａを挿通しており、第１水平羽根３０を回動可能に支持している。
【００６６】
迫り出し機構駆動用モータ５４は、ステッピングモータであって、駆動軸５４ａを有している。駆動軸５４ａは、迫り出し機構駆動用モータ５４に連結されており、迫り出し機構駆動用モータ５４が駆動することによって回転する。このため、迫り出し機構駆動用モータ５４は、駆動軸５４ａを回転させることで、ピニオン歯車５２を回転させることができる。なお、本実施形態では、迫り出し機構駆動用モータ５４とピニオン歯車５２とは、互いに対向するように配置されている。また、迫り出し機構駆動用モータ５４は、後述する取り付け板８０に固定されている。
【００６７】
このような構成によって、迫り出し機構駆動用モータ５４，６４がピニオン歯車５２，６２を回転させると、ピニオン歯車５２，６２と噛み合うラック５６，６６に動力が伝達されて、ピニオン歯車５２，６２に対する移動部材５３，６３の位置が変化する。具体的には、移動部材５３，６３のうち第１水平羽根３０と連結されている端部を移動部材５３，６３の下端部５３ａ，６３ａとし、下端部５３ａ，６３ａとは反対側の端部を移動部材５３，６３の上端部５３ｂ，６３ｂとすると、迫り出し機構駆動用モータ５４，６４が駆動することで、移動部材５３，６３の上端部５３ｂ，６３ｂが、ピニオン歯車５２，６２近傍の位置に移動したり、ピニオン歯車５２，６２から離れた位置に移動したりする。このため、移動部材５３，６３の下端部５３ａ，６３ａに連結している第１水平羽根３０は、移動部材５３，６３の移動に伴って、第１開口１６において第１部分１６ａに相当する開口面に向かう方向すなわち第１開口１６の第１部分１６ａを遮蔽する方向、あるいは、第１開口１６において第１部分１６ａに相当する開口面から遠ざかる方向すなわち第１開口１６の第１部分１６ａを開放する方向に移動する。
【００６８】
これによって、迫り出し機構５１，６１は、第１水平羽根３０が吹き出し口１５近傍から迫り出されるように、第１水平羽根３０をスライド移動、すなわち、迫り出し移動させることができる。なお、迫り出し機構駆動用モータ５４，６４の回転量および回転方向は、後述する制御部８４によって制御されている。
【００６９】
角度変更機構７１は、第１水平羽根３０の第１開口１６の開口面に対する傾斜角度が調整されるように、第１水平羽根３０と角度変更機構７１とが連結されている部分である第２連結部３４を移動させる。
【００７０】
角度変更機構７１は、角度調整機構駆動用モータ７３と、リンク機構７２とを備えている。角度調整機構駆動用モータ７３は、駆動軸７３ａを有している。角度調整機構駆動用モータ７３は、ステッピングモータであって、駆動軸７３ａを介してリンク機構７２を駆動させる。
【００７１】
リンク機構７２は、揺動レバー７４と、アーム７５とを有している。揺動レバー７４は、その一端部が、角度調整機構駆動用モータ７３の駆動軸７３ａに連結されている。また、揺動レバー７４の他端部は、アーム７５の一端部と回動可能に連結されている。
【００７２】
また、アーム７５は、支持軸７８を含む。支持軸７８は、アーム７５において揺動レバー７４と連結している端部とは反対側の端部近傍の両端面から外側方向に向かって突出している。さらに、支持軸７８は、第１水平羽根３０の軸支部３４ａと係合しており、第１水平羽根３０を回動可能の支持している。
【００７３】
このため、リンク機構７２は、揺動レバー７４が図１１に示す位置にある場合には、第１水平羽根３０が第１開口１６の第１部分１６ａを遮蔽している状態となる。また、揺動レバー７４が図１２および図１３に示す位置にある場合には、第１水平羽根３０の状態が、第１開状態、または、第２開状態となる。さらに、揺動レバー７４が図１４に示す位置にある場合には、第１水平羽根３０の状態が、第３開状態となる。
【００７４】
このような構成によって、角度変更機構７１は、角度調整機構駆動用モータ７３が駆動することで、第１水平羽根３０の第２連結部３４を押し引きすることができる。なお、リンク機構７２の回転角度、すなわち、角度調整機構駆動用モータ７３の回転量および回転方向は、後述する制御部８４によって制御されている。
【００７５】
また、第１水平羽根移動機構５０は、取り付け板８０を有している。取り付け板８０は、第１開口１６において第１部分１６ａに相当する開口面よりも上方に配置されている。また、取り付け板８０の上面には、図９に示すように、２つの迫り出し機構駆動用モータ５４，６４および角度調整機構駆動用モータ７３が固定されている。具体的には、迫り出し機構駆動用モータ５４，６４は、取り付け板８０の両端部近傍にそれぞれ固定されている。また、角度調整機構駆動用モータ７３は、取り付け板８０の略中央部に固定されている。
【００７６】
また、取り付け板８０には、迫り出し機構駆動用モータ５４，６４の近傍に、それぞれの移動部材５３，６３が挿通可能な移動部材挿通開口８１ａ，８１ｂが形成されている。なお、移動部材挿通開口８１ａ，８１ｂは、移動部材５３，６３のラック５６，６６以外の部分を支持することができるように、その一部が狭くなるように形成されている。さらに、取り付け板８０には、各移動部材５３，６３を案内するための案内溝８２ａ，８２ｂが設けられている。
【００７７】
また、取り付け板８０には、角度調整機構駆動用モータ７３近傍に、揺動レバー７４が挿通可能なレバー挿通開口８３が形成されている。
【００７８】
＜第２水平羽根移動機構＞
図１６は、第２水平羽根移動機構９９の備える駆動部９８の側面図である。図１７は、第２水平羽根移動機構９９の備える動力伝達軸９６と第１開閉機構９３ａおよび第２開閉機構９３ｂとの位置関係を示す図である。図１８は、第２水平羽根移動機構９９の備える第１開閉機構９３ａの側面図である。
【００７９】
第２水平羽根移動機構９９は、第２水平羽根９０の状態を切り換えるために、第２水平羽根９０を、第１開口１６近傍から迫り出されるように移動させるための機構である。言い換えると、第２水平羽根移動機構９９は、第２水平羽根９０の状態を切り換えるために、第２水平羽根９０を上下方向にスライド移動させるための機構である。なお、本実施形態では、第１水平羽根３０が第１水平羽根移動機構５０によって駆動され、第２水平羽根９０が第１水平羽根移動機構５０とは別の機構である第２水平羽根移動機構９９によって駆動される。すなわち、第１水平羽根３０と第２水平羽根９０とは、それぞれ独立して駆動される。
【００８０】
第２水平羽根移動機構９９は、駆動部９８と、第１開閉機構９３ａと、第２開閉機構９３ｂと、動力伝達軸９６とを有しており、駆動部９８の駆動力によって第２水平羽根９０を移動させて第１開口１６の一部および第２開口１７を開閉する。第２水平羽根移動機構９９は、複数のギアを有しており、駆動部９８の駆動力を第２水平羽根９０に伝達する減速機構として機能する。また、第２水平羽根移動機構９９は、駆動部９８から伝わる回転運動を第２水平羽根９０の開閉動作に変換する変換機構として機能する。なお、第２水平羽根移動機構９９は、室内機ケーシング１２内部に収納されている。
【００８１】
駆動部９８は、室内機ケーシング１２の右側端近傍に配置されており、第２水平羽根９０を移動させるための駆動力を発生させる。駆動部９８は、図１６に示すように、第２水平羽根移動機構駆動用モータ９７と、第１駆動ギア９７ａと、第２駆動ギア９７ｂとを有する。また、第２水平羽根移動機構駆動用モータ９７、第１駆動ギア９７ａ、および、第２駆動ギア９７ｂは、ケーシング９７ｃ内に収容されている。
【００８２】
第２水平羽根移動機構駆動用モータ９７は、電装品箱に収容される制御部品とケーブルによって接続されており、第２水平羽根９０を移動させる駆動源となる。なお、第２水平羽根移動機構駆動用モータ９７の回転量および回転方向は、後述する制御部８４によって制御されている。
【００８３】
第１駆動ギア９７ａは、第２水平羽根移動機構駆動用モータ９７の回転を第２駆動ギア９７ｂに伝達する。
【００８４】
第２駆動ギア９７ｂは、その一部がケーシング９７ｃから露出しており、後述する動力伝達ギア９６ａと噛み合うように配置されている。このため、第２駆動ギア９７ｂは、第１駆動ギア９７ａを介して第２水平羽根移動機構駆動用モータ９７の回転力を動力伝達ギア９６ａに伝達することができる。
【００８５】
第１開閉機構９３ａは、室内機ケーシング１２の右側面の裏面に取り付けられており、第２水平羽根９０の第２部９２ａｂに設けられている連結部９０ａと連結することで、第２水平羽根９０を支持している。第１開閉機構９３ａは、第２水平羽根９０の開閉時に、駆動部９８の駆動力を第２水平羽根９０の連結部９０ａに伝えることで、第２水平羽根９０の連結部９０ａを移動させ、開閉動作を行わせる。なお、第１開閉機構９３ａの構成については、後に説明する。
【００８６】
第２開閉機構９３ｂは、室内機ケーシング１２の左側面の裏面に取り付けられており、第２水平羽根９０の第２部９２ｂｂに設けられている連結部９０ｂを支持している。そして、第１開閉機構９３ａは、第２水平羽根９０の開閉時に、駆動部９８の駆動力を第２水平羽根９０の連結部９０ｂに伝えることで、第２水平羽根９０の連結部９０ｂを移動させ、開閉動作を行わせる。
【００８７】
動力伝達軸９６は、駆動部９８の駆動力を第１開閉機構９３ａおよび第２開閉機構９３ｂへと分配して伝達するための部材である。また、動力伝達軸９６は、図１７に示すように、室内機１０の長手方向に平行な軸を中心に回転自在に室内機ケーシング１２内に取り付けられている。動力伝達軸９６の両端は、それぞれ第１開閉機構９３ａおよび第２開閉機構９３ｂと接続されており、その間に動力伝達ギア９６ａが設けられている。動力伝達ギア９６ａは、第１開閉機構９３ａの近傍に設けられており、駆動部９８の第２駆動ギア９７ｂと噛み合うように配置されている。このように、第２水平羽根移動機構９９は、動力伝達軸９６によって、駆動部９８からの駆動力を第１開閉機構９３ａおよび第２開閉機構９３ｂへと分配するように構成されている。
【００８８】
以下、第１開閉機構９３ａの構成について詳細に説明する。なお、第１開閉機構９３ａと第２開閉機構９３ｂとは、左右対称の同様の構成であるため、ここでは、第１開閉機構９３ａの構成についてのみ説明し、第２開閉機構９３ｂについては説明を省略する。
【００８９】
第１開閉機構９３ａは、図１８に示すように、第１ギア９５ａｂと、第２ギア９５ａａと、支持部材９４ａａとを有している。また、第１開閉機構９３ａは、これらのギアおよび部材を収容するケーシング９３ａａを有している。
【００９０】
第１ギア９５ａｂは、動力伝達軸９６の一端に固定されており、動力伝達軸９６を介して伝達される駆動部９８からの駆動力を第２ギア９５ａａへと伝達する。
【００９１】
第２ギア９５ａａは、第１ギア９５ａｂおよび後述する支持部材９４ａａのラック９４ａｂと噛み合っており、第１ギア９５ａｂから伝達される駆動力を支持部材９４ａａに伝達する。
【００９２】
支持部材９４ａａの端部は、第２水平羽根９０の連結部９０ａと連結している。また、支持部材９４ａａは、上下方向に移動可能に設けられており、第２水平羽根９０を上下方向に直線的に移動させることができる。また、支持部材９４ａａには、第２ギア９５ａａと噛み合うラック９４ａｂが設けられている。ラック９４ａｂは、上下方向に延びるように設けられており、第２ギア９５ａａの回転運動を上下方向への直線運動へと変換する。これにより、駆動部９８の回転運動が、第２水平羽根９０の上下方向への直線運動に変換される。
【００９３】
このような構成によって、第２水平羽根移動機構９９では、第２水平羽根移動機構駆動用モータ９７が回転することで、複数のギアおよびラック９４ａｂを介して、第２水平羽根９０が室内機本体１１に対して上下方向に移動される。
【００９４】
次に、第１水平羽根移動機構５０および第２水平羽根移動機構９９の駆動を制御する制御部８４について説明する。
【００９５】
＜制御部＞
図１９は、空気調和機１の備える制御部８４の制御ブロック図である。図２０は、第２冷房風向状態である室内機１０の斜視図である。図２１は、三方風向状態である室内機１０の斜視図である。
【００９６】
制御部８４は、図１９に示すように、室内機１０および室外機２の各種機器と接続されており、リモートコントローラ８６を介した空調対象者からの運転指令に基づいて、冷房運転や暖房運転等の各運転モードに応じた各種機器の運転制御を行うことができる。
【００９７】
また、リモートコントローラ８６には、運転停止ボタンや風向設定ボタン８６ａ等の複数のスイッチが設けられている。運転停止ボタンは、空調対象者が空気調和機１の運転を停止させるときに操作されるスイッチである。また、風向設定ボタン８６ａは、空調対象者が室内機１０から吹き出される空気の吹き出し方向を設定するときに操作されるスイッチである。例えば、空調対象者によって風向設定ボタン８６ａが押されると、制御部８４は空調対象者からの風向設定指令を制御信号として受信する。なお、本実施形態における風向設定指令には、調和空気が室内機１０の側方に吹き出すように空気の吹き出し方向を設定するための指令である第１指令と、調和空気が主に室内機１０の前側上方および側方に吹き出すように空気の吹き出し方向を設定するための指令である第２指令とが含まれる。
【００９８】
また、制御部８４は、第１水平羽根３０および第２水平羽根９０の状態を切り換えるための駆動制御部８５を有する。駆動制御部８５は、２つの迫り出し機構駆動用モータ５４，６４、角度調整機構駆動用モータ７３および第２水平羽根移動機構駆動用モータ９７の回転数および回転方向を制御することで、第１水平羽根３０および第２水平羽根９０の状態を切り換える。このため、制御部８４は、各運転モードあるいは空調対象者からの風向設定指令に応じて、室内機１０の風向状態を変更することができる。また、本実施形態では、室内機１０は、運転停止状態、第１冷房状態、第２冷房状態、第１暖房状態、第２暖房状態、および、三方風向状態の６つの風向状態を採ることが可能である。
【００９９】
なお、室内機１０の風向状態が運転停止状態である場合、第１水平羽根３０および第２水平羽根９０は、いずれも閉状態を採っている。また、室内機１０の風向状態が第１冷房状態である場合、第１水平羽根３０は第２開状態を採っており、第２水平羽根９０は閉状態を採っている。室内機１０の風向状態が第２冷房状態である場合、第１水平羽根３０は第２開状態を採っており、第２水平羽根９０は開状態を採っている。室内機１０の風向状態が第１暖房状態である場合、第１水平羽根３０は第３開状態を採っており、第２水平羽根９０は閉状態を採っている。室内機１０の風向状態が第２暖房状態である場合、第１水平羽根３０は第３開状態を採っており、第２水平羽根９０は開状態を採っている。室内機１０の風向状態が三方風向状態である場合、第１水平羽根３０は第１開状態を採っており、第２水平羽根９０は開状態を採っている。
【０１００】
例えば、空気調和機１の運転が停止している状態、すなわち、室内機１０の風向状態が運転停止状態である場合に、空調対象者からリモートコントローラ８６を介して冷房運転の開始指令が為されると、駆動制御部８５は、室内機１０の風向状態が第１冷房風向状態となるように、第１水平羽根移動機構５０を制御する。具体的には、駆動制御部８５は、迫り出し機構駆動用モータ５４，６４および角度調整機構駆動用モータ７３を制御することで、第１水平羽根３０の状態を閉状態から第１開状態に切り換える。そして、第１水平羽根３０の状態が第１開状態に切り換わると、更に、駆動制御部８５は、迫り出し機構駆動用モータ５４，６４を制御することで、第１水平羽根３０の状態を第１開状態から第２開状態に切り換える。なお、このとき、駆動制御部８５は第２水平羽根移動機構駆動用モータ９７を駆動させる制御を行わないため、第１開口１６の第２部分１６ｂ、第３部分１６ｃ、第４部分１６ｄおよび第２開口１７が第２水平羽根９０によって覆われている状態が維持される。したがって、吹き出し口１５において、第１開口１６の第２部分１６ｂ、第３部分１６ｃおよび第４部分１６ｄに相当する開口面と、第２開口１７に相当する開口面とが遮蔽された状態が維持される。このため、吹き出し口１５において、第１開口１６の第１部分１６ａのみが開放される。
【０１０１】
また、このとき、制御部８４は、垂直羽根１９が室内機ケーシング１２の長手方向に対して垂直な状態で止まるように、駆動モータを制御する。このため、調和空気は、主に、第１開口１６に導かれる。
【０１０２】
したがって、空気調和機１の運転が停止している状態で、空調対象者からリモートコントローラ８６を介して冷房運転の開始指令が為されて、室内ファン１４によって空気流が生成されると、調和空気が、垂直羽根１９によって第１開口１６に導かれる。そして、第１開口１６において開放されている第１部分１６ａに至った調和空気は、傾斜している第１水平羽根３０の内側面３０ａに沿って室内機１０の前側下方に吹き出される（図３参照）。
【０１０３】
これによって、吹き出し口１５から吹き出される空気の吹き出し方向が室内機１０の前側下方となるため、室内機１０の設置されている室内空間を室内機１０の前側の空間である第１空間と第１空間よりも後側の空間である第２空間とに分けた場合、調和空気が、室内空間のうち、主に、第１空間の下部に吹き出されることになる。
【０１０４】
また、空気調和機１において室内機１０の風向状態が第１冷房状態である冷房運転が実行されているときに、リモートコントローラ８６を介して空調対象者から風向設定指令のうちの第１指令が為されると、駆動制御部８５は、室内機１０の風向状態が第１冷房状態から第２冷房風向状態となるように、第２水平羽根移動機構９９を制御する。具体的には、駆動制御部８５は、第２水平羽根９０の状態が閉状態から開状態に切り換わるように、第２水平羽根移動機構駆動用モータ９７を制御する。第２水平羽根９０の状態が閉状態から開状態に切り換わることで、第１開口１６の第２部分１６ｂ、第３部分１６ｃおよび第４部分１６ｄと第２開口１７とが開放される。なお、このとき、第１水平羽根３０の状態は、第２開状態が維持される。このため、第１開口１６および第２開口１７が開放される。
【０１０５】
また、このとき、制御部８４は、垂直羽根１９が左右方向に揺動するように、駆動モータを制御する。このため、垂直羽根１９によって、調和空気が、第１開口１６および第２開口１７に導かれる。
【０１０６】
そして、第１開口１６の第１部分１６ａに至った調和空気は、傾斜している第１水平羽根３０の内側面３０ａに沿って室内機１０の前側下方に向かって吹き出される。
【０１０７】
また、第１開口１６の第２部分１６ｂ、第３部分１６ｃおよび第４部分１６ｄに至った調和空気は、傾斜している取り付け板８０や第２水平羽根の前面部９１および第１部９２ａａ，９２ｂａによって規制されているため、室内機１０の前側上方の空気が吹き出される。さらに、第２開口１７に至った調和空気は、室内機１０の側方に空気が吹き出される（図２０参照）。
【０１０８】
したがって、空気調和機１において冷房運転が実行されているときに、リモートコントローラ８６を介して空調対象者から風向設定指令のうちの第１指令が為されると、吹き出し口１５から吹き出される空気の吹き出し方向が、室内機１０の前側上方、前側下方および左右両側方に変更される。
【０１０９】
これによって、吹き出し口１５から吹き出される空気の吹き出し方向が室内機１０の前側上方、前側下方および左右両側方となるため、第２空間のうち室内機１０の両側方の空間を特に側方部とした場合、調和空気が、室内空間のうち、主に、第１空間および第２空間の側方部に吹き出されることになる。
【０１１０】
また、空気調和機１において室内機１０の風向状態が第１冷房状態である冷房運転が実行されているときに、リモートコントローラ８６を介して空調対象者から風向設定指令のうちの第２指令が為されると、駆動制御部８５は、室内機１０の風向状態が第１冷房状態から三方風向状態となるように、第１水平羽根移動機構５０および第２水平羽根移動機構９９を制御する。具体的には、駆動制御部８５は、第１水平羽根３０の状態が第２開状態から第１開状態に切り換わるように迫り出し機構駆動用モータ５４，６４を制御するとともに、第２水平羽根９０の状態が閉状態から開状態に切り換わるように第２水平羽根移動機構駆動用モータ９７を制御する。このとき、第１水平羽根３０は第１開口１６の第１部分１６ａに相当する開口面と略平行となるように配置され、第２水平羽根の前面部９１および第１部９２ａａ，９２ｂａは第１水平羽根３０と略同一面内に配置される。このため、第１水平羽根３０の状態が第１開状態であり、第２水平羽根９０の状態が開状態である場合には、第１水平羽根３０と第２水平羽根の前面部９１および第１部９２ａａ，９２ｂａとは、第１開口１６の開口面に対して略平行となるように配置されていることになる。このようにして、第１開口１６および第２開口１７が開放される。
【０１１１】
また、このとき、制御部８４は、垂直羽根１９が左右方向に揺動するように、駆動モータを制御する。このため、垂直羽根１９によって、調和空気が、第１開口１６および第２開口１７に導かれる。
【０１１２】
そして、第１開口１６に至った調和空気は、第１開口１６の開口面に対して略平行となるように配置されている第１水平羽根３０の内側面３０ａと第２水平羽根の前面部９１および第１部９２ａａ，９２ｂａとに沿って室内機１０の前側上方に向かって吹き出される。また、第２開口１７に至った調和空気は、室内機１０の側方に空気が吹き出される（図２１参照）。
【０１１３】
したがって、空気調和機１において冷房運転が実行されているときに、リモートコントローラ８６を介して空調対象者から風向設定指令のうちの第２指令が為されると、吹き出し口１５から吹き出される空気の吹き出し方向が、室内機１０の前側上方および左右両側方に変更される。
【０１１４】
これによって、吹き出し口１５から吹き出される空気の吹き出し方向が室内機１０の前側上方および左右両側方となるため、調和空気が、室内空間のうち、主に、第１空間の上部および第２空間の側方部に吹き出されることになる。
【０１１５】
また、例えば、空気調和機１の運転が停止している状態で、空調対象者からリモートコントローラ８６を介して暖房運転の開始指令が為されると、駆動制御部８５は、室内機１０の風向状態が第１暖房風向状態となるように、第１水平羽根移動機構５０を制御する。具体的には、駆動制御部８５は、迫り出し機構駆動用モータ５４，６４および角度調整機構駆動用モータ７３を制御することで、第１水平羽根３０の状態を閉状態から第１開状態に切り換える。次に、第１水平羽根３０の状態が第１開状態に切り換わると、駆動制御部８５は、迫り出し機構駆動用モータ５４，６４を更に制御することで、第１水平羽根３０の状態を第１開状態から第２開状態に切り換える。そして、第１水平羽根３０の状態が第２開状態に切り換わると、駆動制御部８５は、角度調整機構駆動用モータ７３を更に制御することで、第１水平羽根３０の状態を第２開状態から第３開状態に切り換える。なお、このとき、駆動制御部８５は第２水平羽根移動機構駆動用モータ９７を駆動させる制御を行わないため、第１開口１６の第２部分１６ｂ、第３部分１６ｃ、第４部分１６ｄおよび第２開口１７が第２水平羽根９０によって覆われている状態が維持される。したがって、吹き出し口１５において、第１開口１６の第２部分１６ｂ、第３部分１６ｃおよび第４部分１６ｄに相当する開口面と、第２開口１７に相当する開口面とが遮蔽された状態が維持される。このため、吹き出し口１５において、第１開口１６の第１部分１６ａのみが開放される。
【０１１６】
また、このとき、制御部８４は、垂直羽根１９が室内機ケーシング１２の長手方向に対して垂直な状態で止まるように、駆動モータを制御する。このため、調和空気は、主に、第１開口１６に導かれる。
【０１１７】
したがって、空気調和機１の運転が停止している状態で、空調対象者からリモートコントローラ８６を介して暖房運転の開始指令が為されて、室内ファン１４によって空気流が生成されると、調和空気が、垂直羽根１９によって第１開口１６に導かれる。また、第１開口１６において開放されている第１部分１６ａに至った調和空気は、傾斜している第１水平羽根３０の内側面３０ａに沿って室内機１０の前側下方に吹き出される（図４参照）。
【０１１８】
これによって、吹き出し口１５から吹き出される空気の吹き出し方向が室内機１０の下方となるため、第２空間のうち室内機１０の下方の空間を特に下部とした場合、調和空気が、室内空間のうち、主に、第２空間の下部に吹き出されることになる。
【０１１９】
また、空気調和機１において室内機１０の風向状態が第１暖房状態である場合の暖房運転が実行されているときに、リモートコントローラ８６を介して空調対象者から風向設定指令のうちの第１指令が為されると、駆動制御部８５は、室内機１０の風向状態が第１暖房状態から第２暖房風向状態となるように、第２水平羽根移動機構９９を制御する。具体的には、駆動制御部８５は、第２水平羽根９０の状態が閉状態から開状態に切り換わるように第２水平羽根移動機構駆動用モータ９７を制御する。第２水平羽根９０の状態が閉状態から開状態に切り換わることで、第１開口１６の第２部分１６ｂ、第３部分１６ｃおよび第４部分１６ｄおよび第２開口１７が開放される。なお、このとき、第１水平羽根３０の状態は、第２開状態が維持される。このため、第１開口１６および第２開口１７が開放される。
【０１２０】
また、このとき、制御部８４は、垂直羽根１９が左右方向に揺動するように、駆動モータを制御する。このため、垂直羽根１９によって、調和空気が、第１開口１６および第２開口１７に導かれる。
【０１２１】
そして、第１開口１６の第１部分１６ａに至った調和空気は、傾斜している第１水平羽根３０の内側面３０ａに沿って室内機１０の下方に向かって吹き出される。
【０１２２】
また、第１開口１６の第２部分１６ｂ、第３部分１６ｃおよび第４部分１６ｄに至った調和空気は、傾斜している取り付け板８０や第２水平羽根の前面部９１および第１部９２ａａ，９２ｂａによって規制されているため、室内機１０の前側上方の空気が吹き出される。さらに、第２開口１７に至った調和空気は、室内機１０の側方に空気が吹き出される。
【０１２３】
したがって、空気調和機１において暖房運転が実行されているときに、リモートコントローラ８６を介して空調対象者から風向設定指令のうちの第１指令が為されると、吹き出し口１５から吹き出される空気の吹き出し方向が、室内機１０の前側上方、下方および左右両側方に変更される。
【０１２４】
これによって、吹き出し口１５から吹き出される空気の吹き出し方向が室内機１０の前側上方、下方および左右両側方となるため、調和空気が、室内空間のうち、主に、第１空間の上部と第２空間の下部および側方部とに吹き出されることになる。
【０１２５】
また、空気調和機１において室内機１０の風向状態が第１暖房状態である場合の暖房運転が実行されているときに、リモートコントローラ８６を介して空調対象者から風向設定指令のうちの第２指令が為されると、駆動制御部８５は、室内機１０の風向状態が第１暖房状態から三方風向状態となるように、第１水平羽根移動機構５０および第２水平羽根移動機構９９を制御する。具体的には、駆動制御部８５は、第１水平羽根３０の状態が第３開状態から第１開状態に切り換わるように迫り出し機構駆動用モータ５４，６４および角度調整機構駆動用モータ７３を制御するとともに、第２水平羽根９０の状態が閉状態から開状態に切り換わるように第２水平羽根移動機構駆動用モータ９７を制御する。このため、第１水平羽根３０と第２水平羽根の前面部９１および第１部９２ａａ，９２ｂａとが、第１開口１６の開口面に対して略平行となるように配置され、第１開口１６および第２開口１７が開放される。
【０１２６】
また、このとき、制御部８４は、垂直羽根１９が左右方向に揺動するように、駆動モータを制御する。このため、垂直羽根１９によって、調和空気が、第１開口１６および第２開口１７に導かれる。
【０１２７】
そして、第１開口１６に至った調和空気は、第１開口１６の開口面に対して略平行となるように配置されている第１水平羽根３０の内側面３０ａと第２水平羽根の前面部９１および第１部９２ａａ，９２ｂａとに沿って室内機１０の前側上方に向かって吹き出される。また、第２開口１７に至った調和空気は、室内機１０の側方に空気が吹き出される（図２１参照）。
【０１２８】
したがって、空気調和機１において暖房運転が実行されているときに、リモートコントローラ８６を介して空調対象者から風向設定指令のうちの第２指令が為されると、吹き出し口１５から吹き出される空気の吹き出し方向が、室内機１０の前側上方および左右両側方に変更される。
【０１２９】
これによって、吹き出し口１５から吹き出される空気の吹き出し方向が室内機１０の前側上方および左右両側方となるため、調和空気が、室内空間のうち、主に、第１空間の上部および第２空間の側方部に吹き出されることになる。
【０１３０】
また、空気調和機１において暖房運転または冷房運転が実行されている状態で、空調対象者からリモートコントローラ８６を介して運転停止指令が為されると、駆動制御部８５は、室内機１０の風向状態が運転停止状態となるように、第１水平羽根移動機構５０および／または第２水平羽根移動機構９９を制御する。具体的には、第１水平羽根３０の状態が第１開状態、第２開状態または第３開状態である場合には、駆動制御部８５は、迫り出し機構駆動用モータ５４，６４および角度調整機構駆動用モータ７３を駆動することで、第１水平羽根３０の状態を第１開状態、第２開状態または第３開状態から閉状態に切り換える。
【０１３１】
また、空調対象者からリモートコントローラ８６を介して運転停止指令が為されたときに、第２水平羽根９０が開状態である場合には、駆動制御部８５は、第２水平羽根９０の状態が開状態から閉状態に切り換わるように、第２水平羽根移動機構駆動用モータ９７を制御する。このため、第１開口１６の第１部分１６ａに第１水平羽根３０が位置し、第１開口１６の第２部分１６ｂ、第３部分１６ｃ、第４部分１６ｄ、および、第２開口１７に第２水平羽根９０が位置する状態、すなわち、吹き出し口１５が遮蔽された状態となる。
【０１３２】
このように、本実施形態では、第１水平羽根３０と、第１水平羽根３０とは独立して迫り出し移動可能な第２水平羽根９０とによって吹き出し口１５から吹き出される調和空気を規制することによって、様々な方向に調和空気を吹き出すことができる。言い換えると、この室内機１０では、第１水平羽根３０および第２水平羽根９０を利用して、吹き出し口１５からの吹き出し方向を種々採ることができる。
【０１３３】
なお、本実施形態では、第１水平羽根３０と第２水平羽根９０とによって吹き出される調和空気が規制されることで、第１冷房風向状態、第２冷房風向状態、第１暖房風向状態、第２暖房風向状態、および、三方風向状態の５つの風向状態を採ることが可能であるが、これに限定されず、第１水平羽根３０および第２水平羽根９０の状態の組み合わせによって、他の風向状態が採られてもよい。
【０１３４】
＜特徴＞
（１）
上記実施形態では、吹き出し口１５が第１水平羽根３０と第２水平羽根９０とによって覆われている。このため、調和空気が吹き出し口１５から吹き出される場合に、第１水平羽根３０または第２水平羽根９０の少なくともいずれか一方によって調和空気の流れを規制することができる。
【０１３５】
これによって、第１水平羽根３０および第２水平羽根９０によって吹き出し口１５から吹き出される空気の風向を変更することができているため、例えば、第１水平羽根のみが吹き出し口近傍に配置されている場合と比較して、吹き出し口１５から吹き出される調和空気の風向の種類を増やすことができる。
【０１３６】
（２）
上記実施形態では、第２水平羽根移動機構９９によって、第２水平羽根９０が室内機本体１１に対して上下方向にスライド移動されている。また、第２水平羽根９０の状態を閉状態から開状態に切り換えるために、第２水平羽根移動機構９９が、第２水平羽根９０を室内機本体１１に対して略下方向に移動させている。このため、第２水平羽根９０を室内機本体１１に対して概ね下方向に移動させることができている。
【０１３７】
（３）
上記実施形態では、第１水平羽根３０は、第１水平羽根移動機構５０によって移動されることで、第１開口１６の開口面に対する第１水平羽根３０の傾斜角度が変更されている。このため、第１水平羽根３０によって規制される調和空気の吹き出し方向を変更することができている。
【０１３８】
（４）
上記実施形態では、角度変更機構７１によって、第１水平羽根３０の第１開口１６の開口面に対する傾斜角度が調整されるように、第２連結部３４が移動されている。このため、角度変更機構７１によって第１水平羽根３０が移動されることで、第１水平羽根３０によって規制される調和空気の吹き出し方向を変更することができている。
【０１３９】
（５）
上記実施形態では、迫り出し機構５１，６１が、第１水平羽根３０が吹き出し口１５近傍から迫り出されるように第１連結部３２，３３を移動させることで、第１水平羽根３０をスライド移動させている。このため、第１水平羽根３０が、吹き出し口１５近傍から迫り出されるように、第１連結部３２，３３を移動させることができている。
【０１４０】
（６）
上記実施形態では、第２水平羽根９０の前面部９１は、第１開口１６の第２部分１６ｂを覆うことが可能である。このため、第２水平羽根９０によって、第１開口１６の前部を覆うことができている。
【０１４１】
（７）
上記実施形態では、延長部９２ａ，９２ｂの第１部９２ａａ，９２ｂａは、第１開口１６の第３部分１６ｃおよび第４部分１６ｄを覆うことができる。このため、第２水平羽根９０によって、第１開口１６の両側部を覆うことができている。
【０１４２】
（８）
上記実施形態では、第２部９２ａｂ，９２ｂｂは、第２開口１７を覆うことができる。このため、室内機本体１１の両側面に設けられている開口を覆うことができる。
【０１４３】
（９）
上記実施形態では、第１水平羽根３０および第２水平羽根９０によって、室内機ケーシング１２の底面に形成されている第１開口１６および室内機ケーシング１２の左右両側面に形成されている第２開口１７を覆うことができる。このため、空気調和機１が運転を実行していない場合に、吹き出し口１５が目立つおそれを減らすことができている。
【０１４４】
＜変形例＞
（Ａ）
上記実施形態では、第１水平羽根移動機構５０の迫り出し機構５１，６１は、第１水平羽根３０が吹き出し口１５近傍から迫り出されるように第１水平羽根３０をスライド移動させている。
【０１４５】
これに代えて、第１水平羽根移動機構が、第１水平羽根が吹き出し口近傍から迫り出されるように移動させる機構でなくてもよい。例えば、第１水平羽根移動機構が、第１水平羽根の後側端部近傍に配置される回転軸を中心に、第１水平羽根を回動させるような機構であってもよい。すなわち、調和空気の吹き出し口を覆う第１水平羽根と第２水平羽根とを備える空気調和機において、第１水平羽根が第１水平羽根の長手方向に平行な回転軸を中心に吹き出し口を開閉し、第２水平羽根が吹き出し口近傍から迫り出されることで吹き出し口を開閉してもよい。
【０１４６】
（Ｂ）
上記実施形態では、第２水平羽根９０が、室内機本体１１に対して上下方向にスライド移動されている。すなわち、第２水平羽根９０は、室内機本体１１に対して下方向に迫り出されるように移動されている。
【０１４７】
これに代えて、第２水平羽根が室内機本体の前方向に迫り出されるように移動してもよい。
【０１４８】
例えば、第２水平羽根１９０が室内機ケーシング１１２の有する前面パネル１１２ａとともに室内機本体１１１の前後方向へスライド移動することができる場合には、図２２に示すように、第２水平羽根１９０が室内機本体１１１の前方へ移動することによって、吹き出し口１１５の第１開口１１６および第２開口１１７を開放することができる。
【０１４９】
これによって、室内機１１０の前方および左右両側方に向かう空気流を形成することができる。
【０１５０】
なお、図２２において、符号１３０は、第１水平羽根を示している。また、第２水平羽根１９０の前後方向へのスライド移動は、ラック／ピニオン機構によって行われても、リンク機構によって行われてもよい。
【０１５１】
（Ｃ）
上記実施形態では、連結部９０ａ，９０ｂが第２水平羽根９０の第２部９２ａｂ，９２ｂｂに設けられているが、これに代えて、連結部が第２水平羽根の第１部に設けられていてもよい。また、連結部が第２水平羽根の第１部に設けられる場合には、上記実施形態における第１水平羽根３０の連結部３２，３３，３４の構成と同様の構成であってもよい。さらに、第２水平羽根駆動機構の構成が上記実施形態における迫り出し機構５１，６１と同様の構成であってもよい。
【産業上の利用可能性】
【０１５２】
本発明は、複数の羽根に規制されることで吹き出し口から吹き出される空気の風向を変更することができるため、少なくとも２つ以上の羽根を有する空気調和機への適用が有効である。
【符号の説明】
【０１５３】
１      空気調和機
１６      第１開口（底面開口部）
１７      第２開口（側面開口部）
３４      第２連結部（第１水平羽根第１連結部）
５０      第１水平羽根移動機構
７１      角度変更機構（第１水平羽根角度変更機構）
９１      前面部（前羽根部）
９９      第２水平羽根移動機構
１１，１１１  室内機本体（本体）
１２，１１２  室内機ケーシング（ケーシング）
１５，１１５  吹き出し口
３０，１３０  第１水平羽根
３２，３３      第１連結部（第１水平羽根第２連結部）
５１，６１    迫り出し機構（第１水平羽根迫り出し移動機構）
９０，１９０  第２水平羽根
９０ａ，９０ｂ  連結部（第２水平羽根連結部）
９２ａ，９２ｂ  延長部
９２ａａ，９２ｂａ  第１部
９２ａｂ，９２ｂｂ  第２部
【先行技術文献】
【特許文献】
【０１５４】
【特許文献１】特開２００６−１３８６２９号公報
【図１】
2011012926.tif 000003
【図２】
2011012926.tif 000004
【図３】
2011012926.tif 000005
【図４】
2011012926.tif 000006
【図５】
2011012926.tif 000007
【図６】
2011012926.tif 000008
【図７】
2011012926.tif 000009
【図８】
2011012926.tif 000010
【図９】
2011012926.tif 000011
【図１０】
2011012926.tif 000012
【図１１】
2011012926.tif 000013
【図１２】
2011012926.tif 000014
【図１３】
2011012926.tif 000015
【図１４】
2011012926.tif 000016
【図１５】
2011012926.tif 000017
【図１６】
2011012926.tif 000018
【図１７】
2011012926.tif 000019
【図１８】
2011012926.tif 000020
【図１９】
2011012926.tif 000021
【図２０】
2011012926.tif 000022
【図２１】
2011012926.tif 000023
【図２２】
2011012926.tif 000024